(57)【要約】【課題】生産性が良く、小型に構成でき、被測定部位に圧迫力を正しく作用させることができる血圧情報測定装置用カフを提供すること。【解決手段】被測定部位に接して巻き付けられる伸縮性材料からなる内布６１と、被測定部位を圧迫するための流体袋４０と、可撓性材料からなる支持部材２０とを有する。複数の剛性部材３０が周方向Ａに関して並べて支持部材４０に取り付けられている。複数の剛性部材３０は、被測定部位が延在すべき方向Ｂに沿ってそれぞれ細長い形状を有している。内布６１と外布６２とが合わされて、流体袋４０、支持部材２０および剛性部材３０を内包している。支持部材２０が撓むのに伴って、複数の剛性部材３０同士の間の距離が周方向Ａに関して変化することが許容されている。外布６２と支持部材２０との少なくとも一方が、周方向Ａに関して非伸縮性の材料からなる。【選択図】図１
0003178594.tif 000002
【実用新案登録請求の範囲】
【請求項１】
血圧測定のために被測定部位に巻き付けられる血圧情報測定装置用カフであって、
上記被測定部位に接して巻き付けられる伸縮性材料からなる内布と、
上記内布の外周面に沿って配され、上記被測定部位を圧迫するための流体袋と、
上記流体袋を覆うとともに上記内布に沿って周方向に配され、可撓性材料からなる支持部材と、
上記内布に巻き付けられた上記被測定部位が延在すべき方向に沿ってそれぞれ細長い形状を有し、上記周方向に関して並べて上記支持部材に取り付けられた複数の剛性部材と、
上記内布と合わされて、上記流体袋、上記支持部材および上記剛性部材を内包する外布とを備え、
上記支持部材が撓むのに伴って、上記複数の剛性部材同士の間の距離が上記周方向に関して変化することが許容されており、
上記外布と上記支持部材との少なくとも一方が、上記周方向に関して非伸縮性の材料からなることを特徴とする血圧情報測定装置用カフ。
【請求項２】
請求項１に記載の血圧情報測定装置用カフにおいて、
上記外布および上記支持部材を貫通して、かつ上記剛性部材同士の隙間を通して、上記流体袋に流体を供給または上記流体袋から流体を排出するための配管が設けられ、
上記流体袋は上記配管の周りでのみ上記支持部材に固定されていることを特徴とする血圧情報測定装置用カフ。
【請求項３】
請求項１または２に記載の血圧情報測定装置用カフにおいて、
上記複数の剛性部材は、上記支持部材の外周面に接着剤によって取り付けられていることを特徴とする血圧情報測定装置用カフ。
【請求項４】
請求項１または２に記載の血圧情報測定装置用カフにおいて、
上記支持部材は樹脂からなり、
上記複数の剛性部材は、上記支持部材に被覆され又は埋め込まれていることを特徴とする血圧情報測定装置用カフ。
【請求項５】
請求項１から４までのいずれか一つに記載の血圧情報測定装置用カフにおいて、
上記複数の剛性部材は同一の形状を有することを特徴とする血圧情報測定装置用カフ。
【請求項６】
請求項５に記載の血圧情報測定装置用カフにおいて、
上記剛性部材の形状は円形の断面をもつ棒状であることを特徴とする血圧情報測定装置用カフ。
【請求項７】
請求項１から６までのいずれか一つに記載の血圧情報測定装置用カフにおいて、
上記複数の剛性部材は、上記周方向に関して互いに略密接して上記支持部材に取り付けられていることを特徴とする血圧情報測定装置用カフ。
【考案の詳細な説明】
【技術分野】
【０００１】
この考案は血圧情報測定装置用カフに関し、より詳しくは、血圧測定のために被測定者の腕や手首などの部位を圧迫するカフに関する。
【背景技術】
【０００２】
従来、この種の血圧情報測定装置用カフとしては、例えば特許文献１（特開平１１−２９９７４９号公報）に開示されているように、帯状布内に空気袋と複数のプレートが配置されたものが知られている。複数のプレートは、空気袋の外周に沿って並べて設けられ、互いに回動可能にヒンジ構造の連結部で連結されている。このような構成によれば、複数のプレートが連結されているお蔭で、空気袋を膨張させても空気袋が外側（被測定部位と反対側）へ膨らむことがない。これにより、十分な圧迫力を被測定部位に作用させることを図っている。
【０００３】
特許文献２（特開２００９−１８３６２９号公報）にも、同様の構造をもち、同様の機能を有するカフが開示されている。
【先行技術文献】
【特許文献】
【０００４】
【特許文献１】特開平１１−２９９７４９号公報
【特許文献２】特開２００９−１８３６２９号公報
【考案の概要】
【考案が解決しようとする課題】
【０００５】
しかしながら、上記カフの構成では、複数のプレートがヒンジ構造の連結部で連結されている。このため、構造が複雑であり、また、部品の種類が多いため、生産性が良くないと言える。また、連結される個々のプレートが或る程度の厚みや幅（周方向寸法）をもつことが要求され、全体としてカフが大型化するという問題がある。さらに、ヒンジの回動箇所のところで、空気袋に折れ、しわなどが発生して、被測定部位に正しく圧迫力を作用させることができない場合がある。
【０００６】
そこで、この考案の課題は、生産性が良く、小型に構成でき、被測定部位に圧迫力を正しく作用させることができる血圧情報測定装置用カフを提供することにある。
【課題を解決するための手段】
【０００７】
上記課題を解決するため、この考案の血圧情報測定装置用カフは、
血圧測定のために被測定部位に巻き付けられる血圧情報測定装置用カフであって、
上記被測定部位に接して巻き付けられる伸縮性材料からなる内布と、
上記内布の外周面に沿って配され、上記被測定部位を圧迫するための流体袋と、
上記流体袋を覆うとともに上記内布に沿って周方向に配され、可撓性材料からなる支持部材と、
上記内布に巻き付けられた上記被測定部位が延在すべき方向に沿ってそれぞれ細長い形状を有し、上記周方向に関して並べて上記支持部材に取り付けられた複数の剛性部材と、
上記内布と合わされて、上記流体袋、上記支持部材および上記剛性部材を内包する布袋を構成する外布とを備え、
上記支持部材が撓むのに伴って、上記複数の剛性部材同士の間の距離が上記周方向に関して変化することが許容されており、
上記外布と上記支持部材との少なくとも一方が、上記周方向に関して非伸縮性の材料からなることを特徴とする。
【０００８】
ここで、「内布」、「外布」は、布からなる場合だけでなく、一層または複数層の樹脂からなる場合も含む。
【０００９】
この考案の血圧情報測定装置用カフは、内布が被測定部位に接する状態で、上記被測定部位を取り巻くように巻き付けられる。ここで、上記支持部材が撓むのに伴って、上記複数の剛性部材同士の間の距離が上記周方向に関して変化することが許容されている。したがって、このカフは、上記複数の剛性部材が巻き付けを妨げることがなく、上記被測定部位を取り巻くように巻き付けられる。このカフが上記非測定部位に巻き付けられると、外布の周方向両端が少なくともオーバラップした状態になり、例えば公知の面ファスナによって固定される。これにより、このカフは上記被測定部位に密に接して巻き付けられた状態なる。
【００１０】
この状態で、このカフの外部から、例えば配管を通して上記流体袋に流体（典型的には空気）が供給されて、上記被測定部位が圧迫される。ここで、上記内布は伸縮性材料からなり、上記外布と上記支持部材との少なくとも一方が、上記周方向に関して非伸縮性の材料からなる。したがって、上記流体袋は、上記被測定部位と反対の側への膨張が規制されて、上記被測定部位へ向かって膨張しようとする。これにより、上記被測定部位に十分な圧迫力を作用させることができる。また、上記内布に巻き付けられた上記被測定部位が延在すべき方向に沿って細長い形状を有する上記剛性部材は、剛性を有するので変形しない。つまり、上記剛性部材の両端が、上記被測定部位から離れる向きに撓むことがない。したがって、上記被測定部位が延在する方向に関して、上記被測定部位に均一な圧迫力を作用させることができる。
【００１１】
この血圧情報測定装置用カフでは、上記複数の剛性部材は、上記周方向に関して並べて上記支持部材に取り付けられている。そして、上記支持部材が撓むのに伴って、上記複数の剛性部材同士の間の距離が上記周方向に関して変化することが許容されている。つまり、上記複数の剛性部材同士は、ヒンジ構造で連結されているのではなく、上記複数の剛性部材は、上記周方向に関して並べて上記支持部材に取り付けられているだけである。したがって、構造が単純になり、また、部品の種類が少なくなる。この結果、部品の調達および組み立てが容易になり、生産性が良くなる。また、個々の剛性部材は、先行技術文献におけるプレートに比して、厚さや周方向寸法を小さく設定できる。したがって、全体としてカフを小型に構成できる。さらに、上記複数の剛性部材同士は、ヒンジ構造で連結されているのではないので、ヒンジの回動箇所のところで、空気袋に折れ、しわなどが発生することがない。したがって、上記被測定部位にさらに正しく圧迫力を作用させることができる。
【００１２】
一実施形態の血圧情報測定装置用カフでは、
上記外布および上記支持部材を貫通して、かつ上記剛性部材同士の隙間を通して、上記流体袋に流体を供給または上記流体袋から流体を排出するための配管が設けられ、
上記流体袋は上記配管の周りでのみ上記支持部材に固定されていることを特徴とする。
【００１３】
この一実施形態の血圧情報測定装置用カフでは、上記流体袋は上記配管の周りでのみ上記支持部材に固定されている。したがって、上記流体袋は上記内布を介して上記被測定部位にフィットする。したがって、上記被測定部位にさらに正しく圧迫力を作用させることができる。
【００１４】
一実施形態の血圧情報測定装置用カフでは、上記複数の剛性部材は、上記支持部材の外周面に接着剤によって取り付けられていることを特徴とする。
【００１５】
この一実施形態の血圧情報測定装置用カフでは、上記複数の剛性部材は、上記支持部材の外周面に接着剤によって取り付けられている。したがって、製造段階で、上記複数の剛性部材を上記支持部材に簡単に取り付けることができる。
【００１６】
一実施形態の血圧情報測定装置用カフでは、
上記支持部材は樹脂からなり、
上記複数の剛性部材は、上記支持部材に被覆され又は埋め込まれていることを特徴とする。
【００１７】
この一実施形態の血圧情報測定装置用カフでは、上記複数の剛性部材は、上記支持部材に被覆され又は埋め込まれている。したがって、製造段階で、上記複数の剛性部材を樹脂からなる支持部材によって被覆し又は支持部材に埋め込むことで、上記支持部材と上記複数の剛性部材とをセットにして用意することができる。これにより、この血圧情報測定装置用カフを簡単に組み立てることができる。
【００１８】
一実施形態の血圧情報測定装置用カフでは、上記複数の剛性部材は同一の形状を有することを特徴とする。
【００１９】
この一実施形態の血圧情報測定装置用カフでは、上記複数の剛性部材は同一の形状を有する。したがって、部品の調達および組み立てがさらに容易になり、生産性がさらに良くなる。
【００２０】
一実施形態の血圧情報測定装置用カフでは、上記剛性部材の形状は円形の断面をもつ棒状であることを特徴とする。
【００２１】
この一実施形態の血圧情報測定装置用カフでは、上記剛性部材の形状は円形の断面をもつ棒状である。したがって、内布が被測定部位に接する状態で、上記被測定部位を取り巻くように巻き付けられるとき、上記支持部材が撓むのに伴って、上記複数の剛性部材同士が干渉し合うことがなく、上記複数の剛性部材が巻き付けの障害となることがない。したがって、このカフは、上記被測定部位を取り巻くように容易に巻き付けられる。
【００２２】
一実施形態の血圧情報測定装置用カフでは、上記複数の剛性部材は、上記周方向に関して互いに略密接して上記支持部材に取り付けられていることを特徴とする。
【００２３】
この一実施形態の血圧情報測定装置用カフでは、上記複数の剛性部材は、上記周方向に関して互いに略密接して上記支持部材に取り付けられている。したがって、上記周方向に関して、上記複数の剛性部材同士の隙間を少なくでき、上記被測定部位に均一な圧迫力を作用させることができる。
【考案の効果】
【００２４】
以上より明らかなように、この考案の血圧情報測定装置用カフは、生産性が良く、小型に構成でき、また、被測定部位に圧迫力を正しく作用させることができる。
【図面の簡単な説明】
【００２５】
【図１】この考案の一実施形態の血圧情報測定装置用カフを備えた手首式血圧計の全体構成を透視して示す斜視図である。
【図２】上記手首式血圧計が被測定部位としての手首に装着された状態を示す図である。
【図３】上記カフの要部を展開して示す図である。
【図４】上記カフの要部の変形例を示す図である。
【図５】上記カフに含まれた剛性部材の断面がとり得る様々な形状を例示する図である。
【考案を実施するための形態】
【００２６】
以下、この考案を図示の実施の形態により詳細に説明する。
【００２７】
図１は、この考案の一実施形態の血圧情報測定装置用カフ（符号１０で示す。）を備えた手首式血圧計１００の全体構成を示している。理解の容易のために、カフ１０の内部が分かるように一部透視状態で示している。図２は、その血圧計１００が被測定部位としての手首９０に装着された状態を示している。
【００２８】
これらの図１、図２から分かるように、この血圧計１００は、本体１１０と、手首９０に巻き付けられるカフ１０とを一体に備えている。本体１１０には、カフ１０（より正確には、後述する空気袋４０）へ空気を供給するためのポンプや、カフ１０から空気を排出するための排気弁、血圧測定（血圧情報としての収縮期血圧値および拡張期血圧値の測定）の制御を行う制御部、それらの構成要素に電力を供給するための電池などが搭載されている（いずれも図示を省略している。）。
【００２９】
カフ１０は、内布６１と、手首９０を圧迫するための流体袋としての空気袋４０と、支持部材２０と、複数の剛性部材３０，３０，…と、外布６２とを備えている。
【００３０】
内布６１は、空気袋４０の膨張を妨げないように伸縮性材料からなり、手首９０に接して帯状に巻き付けられる。この例では、内布６１は、ニット布地からなる。
【００３１】
空気袋４０は、内布６１の外周面６１ａに沿って帯状に配されている。この空気袋４０は、例えば樹脂シートを用いて形成された袋状の部材からなる。空気袋４０の周方向Ａの寸法は、例えば手首にぴったり巻き回されるように１６０ｍｍ程度に設定されている。空気袋４０の幅方向（図１中のＢ方向）の寸法は、例えば十分に動脈を圧迫できるように５０ｍｍ程度に設定されている。
【００３２】
支持部材２０は、空気袋４０を覆うとともに内布６１に沿って周方向Ａに帯状に配されている。この支持部材２０は、可撓性材料からなる。この例では、支持部材２０として、片面２０ａに接着剤が塗布された市販のビニールテープを用いる。空気袋４０の寸法に合わせて、支持部材２０の周方向Ａの寸法は１６０ｍｍ程度に設定され、幅方向Ｂの寸法は５０ｍｍ程度に設定されている。
【００３３】
複数の剛性部材３０，３０，…は、内布６１に巻き付けられた手首９０が延在すべき方向Ｂに沿ってそれぞれ細長い、同一の形状を有している。この例では、各剛性部材３０の形状は、直径１ｍｍ程度の円形の断面をもつ棒状である。各剛性部材３０の長さ（方向Ｂの寸法）は、空気袋４０の寸法と同じ５０ｍｍ程度に設定されている。
【００３４】
これらの複数の剛性部材３０，３０，…は、製造段階では、図３によって良く分かるように、支持部材２０の接着剤が塗布された面（接着面）２０ａに略密接して並べることによって、簡単に取り付けられる。カフ１０が手首９０に巻き付けられると、図１および図２中に示すように、複数の剛性部材３０，３０，…は、支持部材２０の接着面２０ａに沿って周方向Ａに並ぶ状態となる。
【００３５】
外布６２は、周方向Ａに帯状に延在し、非伸縮性材料、例えば一面にターポリンラミネート加工された布地からなる。外布６２は、内布６１と周縁部で縫製されて合わされている。これにより、布袋６０が構成されている。布袋６０は、空気袋４０、支持部材２０および剛性部材３０を内包する。この例では、外布６２の周方向Ａの寸法は、手首にぴったり巻き回したうえで少なくとも両端がオーバラップするように２００ｍｍ程度に設定されている。外布６２および内布６１の幅方向Ｂの寸法は、空気袋４０を覆うように６０ｍｍ程度に設定されている。
【００３６】
図２中に示すように、外布６２の周方向両端がオーバラップする領域には、公知の面ファスナ５０が設けられている。
【００３７】
また、空気袋４０と本体１１０との間に配管７０が設けられている。配管７０は、外布６２および支持部材２０を貫通して、かつ剛性部材３０同士の隙間３１を通して、空気袋４０に連結されている。本体１１０からこの配管７０を通して、空気袋４０に流体としての空気を供給し、または空気袋４０から流体を排出することができる。空気袋４０は配管７０の周りでのみ支持部材２０に固定されている。空気袋４０のうち配管７０から離れた部分は、支持部材２０や内布６１に固定されていない。
【００３８】
このカフ１０は、内布６１が手首９０に接する状態で、手首９０を取り巻くように巻き付けられる。ここで、支持部材２０が撓むのに伴って、複数の剛性部材３０，３０，…同士の間の距離が周方向Ａに関して変化することが許容されている。しかも、剛性部材３０の断面形状は円形である。したがって、複数の剛性部材３０，３０，…同士が干渉し合うことがなく、複数の剛性部材３０，３０，…が巻き付けを妨げることがない。したがって、このカフは、手首９０を取り巻くように容易に巻き付けられる。このカフ１０が非測定部位に巻き付けられると、外布６２の周方向両端が少なくともオーバラップした状態になり、面状ファスナ５０によって固定される。これにより、このカフ１０は手首９０に密に接して巻き付けられた状態なる。
【００３９】
この状態で、このカフ１０の外部から、配管７０を通して空気袋４０に空気が供給されて、手首９０が圧迫される。ここで、内布６１は伸縮性材料からなり、外布６２は非伸縮性材料からなる。したがって、空気袋４０は、手首９０と反対の側への膨張が規制されて、手首９０へ向かって膨張しようとする。これにより、手首９０に十分な圧迫力を作用させることができる。また、内布６１に巻き付けられた手首９０が延在すべき方向Ｂに沿って細長い形状を有する剛性部材３０は、剛性を有するので変形しない。つまり、各剛性部材３０の両端が、手首９０から離れる向きに撓むことがない。しかも、複数の剛性部材３０，３０，…は、周方向Ａに関して互いに略密接して支持部材２０に取り付けられている。したがって、手首９０が延在する方向Ｂに関して、複数の剛性部材３０，３０，…同士の隙間を少なくでき、手首９０に均一な圧迫力を作用させることができる。
【００４０】
このカフ１０では、複数の剛性部材３０，３０，…は、周方向Ａに関して並べて支持部材２０に取り付けられている。そして、支持部材２０が撓むのに伴って、複数の剛性部材３０，３０，…同士の間の距離が周方向Ａに関して変化することが許容されている。つまり、複数の剛性部材３０，３０，…同士は、ヒンジ構造で連結されているのではなく、複数の剛性部材３０，３０，…は、周方向Ａに関して並べて支持部材２０に取り付けられているだけである。また、複数の剛性部材３０，３０，…は同一の形状を有する。したがって、構造が単純になり、また、部品の種類が少なくなる。この結果、部品の調達および組み立てが容易になり、生産性が良くなる。また、個々の剛性部材３０は、先行技術文献におけるプレートに比して、厚さや周方向Ａの寸法を小さく設定できる。したがって、全体としてカフ１０を小型に構成できる。さらに、複数の剛性部材３０，３０，…同士は、ヒンジ構造で連結されているのではないので、ヒンジの回動箇所のところで、空気袋に折れ、しわなどが発生することがない。したがって、手首９０にさらに正しく圧迫力を作用させることができる。
【００４１】
また、このカフ１０では、上述のように、空気袋４０は配管７０の周りでのみ支持部材２０に固定されている。したがって、空気袋４０は内布６１を介して手首９０にフィットする。したがって、手首９０にさらに正しく圧迫力を作用させることができる。
【００４２】
上の例では、外布６２が非伸縮性材料からなり、支持部材２０が市販のビニールテープ（つまり、伸縮性材料）からなるものとしたが、これに限られるものではない。外布６２と支持部材２０との少なくとも一方が、周方向Ａに関して材料からなっていれば良い。これにより、空気袋４０は、手首９０と反対の側への膨張が規制されて、手首９０へ向かって膨張しようとする。これにより、手首９０に十分な圧迫力を作用させることができる。
【００４３】
また、上の例では、市販のビニールテープからなる支持部材２０の接着面２０ａに複数の剛性部材３０，３０，…が取り付けられているものとしたが、これに限られるものではない。例えば、支持部材２０は樹脂からなり、図４に例示するように、複数の剛性部材３０，３０，…が支持部材２０に被覆され又は埋め込まれているものとしても良い。この場合、製造段階で、上記複数の剛性部材３０，３０，…を樹脂からなる支持部材２０によって被覆し又は支持部材２０に埋め込むことで、支持部材２０と複数の剛性部材３０，３０，…とをセットにして用意することができる。これにより、このカフ１０を簡単に組み立てることができる。
【００４４】
また、上の例では、各剛性部材３０の断面形状は、図５（ａ）に示すように、円形であるものとしたが、これに限られるものではない。各剛性部材３０の断面形状は、例えば、図５（ｂ）に示すように矩形であっても良く、図５（ｃ）に示すように楕円であっても良く、また、図５（ｄ）に示すように、半楕円の頂部３０ｔと矩形の下部３０ｂとからなる形状であっても良い。
【００４５】
上述の実施形態は例示に過ぎず、この考案の範囲内で様々な変形が可能である。
【符号の説明】
【００４６】
１０  カフ
２０  支持部材
３０  剛性部材
４０  空気袋
６１  内布
６２  外布
１１０  本体
【図１】
0003178594.tif 000003
【図２】
0003178594.tif 000004
【図３】
0003178594.tif 000005
【図４】
0003178594.tif 000006
【図５】
0003178594.tif 000007